(57)【要約】  無線リンクコントローラ（ＲＩＣ１８）とインターネットプロトコルリレー（ＩＰＲ１６、２６）との間の複数の無線アクセスベアラ（ＲＡＢｓ）上のワイヤレス通信パケット交換（ＰＳ）データフローを制御するため使用される、ワイヤレス送受信ユニット（ＷＴＲＵ１０）およびＷＴＲＵにおいて用いられる方法。複合無線アクセスベアラマネージャ／パケットデータコンバージェンスプロトコル（ＲＡＢＭ／ＰＤＣＰ１２）コンポーネントは、ＰＳデータの処理および各ＲＡＢの制御がＰＳデータの処理および単一無線ベアラ（ＲＢ）の制御に関連付けられるように、セッションマネージャ（ＳＭ１４）および無線リソースセンター（ＲＲＣ１７）のインターフェイス制御を提供する。
2007510371.tif 000002
【特許請求の範囲】
【請求項１】
ワイヤレス送受信ユニット（ＷＴＲＵ）であって、
パケット交換（ＰＳ）データを複数の無線アクセスベアラ（ＲＡＢｓ）上で搬送するよう構成されたインターネットプロトコルリレー（ＩＰＲ）、
ＲＡＢｓを管理するよう構成されたセッションマネージャ（ＳＭ）、
前記ＷＴＲＵのため無線アクセスベアラ（ＲＡＢ）および無線ベアラ（ＲＢ）の割当を制御するよう構成された無線リソースセンター（ＲＲＣ）、
ＰＳデータを複数のＲＢ上で搬送するよう構成された無線リンクコントローラ（ＲＬＣ）、および
前記ＲＬＣと前記ＩＰＲとの間の通信ＰＳデータの流れを制御し、ＰＳデータの処理および各ＲＡＢの制御が前記ＰＳデータの処理および単一ＲＢの制御に関連付けられるように、前記ＳＭおよびＲＲＣのインターフェイス制御を提供するよう構成された複合無線アクセスベアラマネージャ／パケットデータコンバージェンスプロトコル（ＲＡＢＭ／ＰＤＣＰ）コンポーネント
を備えることを特徴とするワイヤレス送受信ユニット。
【請求項２】
前記ＷＴＲＵは、ユニバーサルモバイルテレコミュニケーションシステム（ＵＭＴＳ）において使用するＵＥとして構成されることを特徴とする請求項１に記載の発明。
【請求項３】
パケット交換（ＰＳ）データを複数の無線アクセスベアラ（ＲＡＢｓ）上で搬送するインターネットプロトコルリレー（ＩＰＲ）、ＲＡＢｓを管理するセッションマネージャ（ＳＭ）、ＷＴＲＵのための無線アクセスベアラ（ＲＡＢ）および無線ベアラ（ＲＢ）の割当を制御する無線リソースセンター（ＲＲＣ）、およびＰＳデータを複数のＲＢ上で搬送する無線リンクコントローラ（ＲＬＣ）を有するワイヤレス送受信ユニット（ＷＴＲＵ）のための方法であって、
前記ＲＬＣと前記ＩＰＲとの間の通信ＰＳデータフローを制御すること、および
前記ＰＳデータの処理および各ＲＡＢの制御が前記ＰＳデータの処理および単一ＲＢの制御に関連付けられるように、前記ＳＭおよびＲＲＣのインターフェイス制御を提供することを備えることを特徴とする方法。
【請求項４】
前記方法は、ユニバーサルモバイルテレコミュニケーションシステム（ＵＭＴＳ）において使用されるＵＥにおいて実施されることを特徴とする請求項３に記載の方法。
【請求項５】
パケット交換（ＰＳ）データを複数の無線アクセスベアラ（ＲＡＢｓ）上で搬送するインターネットプロトコルリレー（ＩＰＲ）、ＲＡＢｓを管理するセッションマネージャ（ＳＭ）、ＷＴＲＵのため無線アクセスベアラ（ＲＡＢ）および無線ベアラ（ＲＢ）の割当を制御する無線リソースセンター（ＲＲＣ）、およびＰＳデータを複数のＲＢ上で搬送する無線リンクコントローラ（ＲＬＣ）を有するワイヤレス送受信ユニット（ＷＴＲＵ）のための方法であって、
１つのＲＢと各ＲＡＢとの関連に基づいた、無線アクセスベアラマネージャ（ＲＡＢＭ）およびパケットデータコンバージェンスプロトコル（ＤＰＣＰ）機能群を提供する、前記ＲＬＣと前記ＩＰＲとの間の通信ＰＳデータフローを制御すること、および
前記ＰＳデータの処理および各ＲＡＢの制御が前記ＰＳデータの処理と単一ＲＢの制御とに関連付けられるように、前記ＳＭおよびＲＲＣのインターフェイス制御を提供することを備えることを特徴とする方法。
【請求項６】
パケット交換（ＰＳ）データを複数の無線アクセスベアラ（ＲＡＢｓ）上で搬送するインターネットプロトコルリレー（ＩＰＲ）、ＲＡＢｓを管理するセッションマネージャ（ＳＭ）、ＷＴＲＵのために無線アクセスベアラ（ＲＡＢ）および無線ベアラ（ＲＢ）の割当を制御する無線リソースセンター（ＲＲＣ）、およびＰＳデータを複数のＲＢ上で搬送する無線リンクコントローラ（ＲＬＣ）を有するワイヤレス送受信ユニット（ＷＴＲＵ）のための特定用途向け集積回路（ＡＳＩＣ）であって、
前記ＲＬＣと前記ＩＰＲとの間の通信ＰＳデータフローを制御する手段、および
前記ＰＳデータの処理および各ＲＡＢの制御が前記ＰＳデータの処理および単一ＲＢの制御に関連付けられるように、前記ＳＭおよびＲＲＣのインターフェイス制御を提供する手段を備えたことを特徴とするＡＳＩＣ。
【請求項７】
パケット交換（ＰＳ）データを複数の無線アクセスベアラ（ＲＡＢｓ）上で搬送するインターネットプロトコルリレー（ＩＰＲ）、ＲＡＢｓを管理するセッションマネージャ（ＳＭ）、ＷＴＲＵのために無線アクセスベアラ（ＲＡＢ）および無線ベアラ（ＲＢ）の割当を制御する無線リソースセンター（ＲＲＣ）、およびＰＳデータを複数のＲＢ上で搬送する無線リンクコントローラ（ＲＬＣ）を有するワイヤレス送受信ユニット（ＷＴＲＵ）のための装置であって、
前記ＲＬＣと前記ＩＰＲとの間の通信ＰＳデータフローを制御し、前記ＰＳデータの処理および各ＲＡＢの制御が前記ＰＳデータの処理および単一ＲＢの制御に関連付けられるように、前記ＳＭおよびＲＲＣのインターフェイス制御を提供する複合無線アクセスベアラマネージャ／パケットデータコンバージェンスプロトコル（ＲＡＢＭ／ＰＤＣＰ）コンポーネントを備えたことを特徴とする装置。
【請求項８】
前記ＷＴＲＵは、ユニバーサルモバイルテレコミュニケーションシステム（ＵＭＴＳ）において使用するためのＵＥとして構成され、前記ＲＡＢＭ／ＰＤＣＰコンポーネントは、特定用途向け集積回路（ＡＳＩＣ）に実装されることを特徴とする請求項７に記載の発明。
【発明の詳細な説明】
【技術分野】
【０００１】
本発明は、ワイヤレス通信システムのための複数の方法および装置に関し、具体的には複数の無線アクセスベアラマネージャ（ＲＡＢＭｓ）およびパケットデータコンバージェンスプロトコル（ＰＤＣＰ）プロセス群を実装する複数のワイヤレス送受信ユニット（ＷＴＲＵｓ）に関する。
【背景技術】
【０００２】
ワイヤレス通信システム群は周知の技術である。ワイヤレスシステム群に関する世界的規模の接続性を提供するために、複数の標準が開発され、現在実装されている。現在広範囲に渡って使用されている標準の一つは、モバイルテレコミュニケーション用グローバルシステム（ＧＳＭ）として知られている。これはいわゆる第２世代モバイル無線システム標準（２Ｇ）として検討されており、その改訂版（２．５Ｇ）が続いた。汎用パケット無線サービス（ＧＰＲＳ）およびＥＤＧＥ（Ｅｎｈａｎｃｅｄ  Ｄａｔａ  Ｒａｔｅｓ  Ｆｏｒ  ＧＳＭ  Ｅｖｏｌｕｔｉｏｎ）は２．５Ｇ技術の例で、複数の２Ｇ  ＧＳＭネットワーク上に比較的高速のデータサービスを提供する。これら標準のそれぞれ一つは、その先行標準の上に追加の機能と強化を加えて改良することを追求した。１９９８年１月に、欧州電気通信標準化機構の特別モバイルグループ（ＥＴＳＩ  ＳＭＧ）は、ユニバーサルモバイルコミュニケーションシステム（ＵＭＴＳ）と呼ばれる第３世代無線システムのための無線アクセス計画に関し同意した。ＵＭＴＳ標準の実装を促進するため、１９９８年１２月に第３世代パートナーシッププロジェクト（３ＧＰＰ）が結成された。３ＧＰＰは、共通第３世代モバイル無線標準への取り組みを継続する。
【０００３】
現在の３ＧＰＰ仕様に準拠する典型的ＵＭＴＳシステムアーキテクチャを図１に示す。ＵＭＴＳネットワークアーキテクチャは、現在、公に入手することの出来る３ＧＰＰ仕様文書に詳細に定義されているＩｕとして知られるインターフェイスを介してＵＭＴＳ地上無線アクセスネットワーク（ＵＴＲＡＮ）に相互接続されるコアネットワーク（ＣＮ）を含む。ＵＴＲＡＮはＵｕとして知られる無線インターフェイスを介し、３ＧＰＰにおいて複数のユーザ機器（ＵＥｓ）としても知られる複数のワイヤレス送／受信ユニット（ＷＴＲＵｓ）を通して、複数のユーザに複数のワイヤレス通信サービスを提供するよう構成されている。ＵＴＲＡＮは、１つまたは複数の無線ネットワークコントローラ（ＲＮＣｓ）および、３ＧＰＰにおいてはノードＢとして知られる基地局を有するが、これは、ＷＴＲＵｓを用いるワイヤレス通信のために、地理的な受信可能範囲を集合的に提供する。１つまたは複数のノードＢは、３ＧＰＰにおいてＩｕｂとして知られるインターフェイスを介して各ＲＮＣに接続される。ＵＴＲＡＮは、異なるＲＮＣｓに接続される複数のノードＢのグループ数個を有することがある。図１の例には、グループ二つのみが示されている。ＵＴＲＡＮの中に、２つ以上のＲＮＣを設ける場合は、ＲＮＣ相互通信は、Ｉｕｒインターフェイスを介して実行され、３ＧＰＰ仕様にも定義される。
【０００４】
ネットワークコンポーネントの外部の通信は、ユーザレベルではＵｕインターフェイスを介して複数のノードＢが、また、ネットワークレベルでは外部のシステムに対する各種ＣＮ接続を介してＣＮが実行する。
【０００５】
一般的に、複数のノードＢのような基地局の主要な機能は、基地局のネットワークとＷＴＲＵｓとの間に無線接続を提供することである。典型的に、基地局は共通チャネル信号を発信して、接続されていないＷＴＲＵが基地局のタイミングと同期することができるようにする。３ＧＰＰにおいては、ノードＢがＷＴＲＵｓとの物理的な無線接続を設ける。ノードＢは、自らがＵｕインターフェイスを越えて送信する複数の無線信号を制御するＲＮＣから、Ｉｕｂインターフェイスを越えて、信号を受信する。
【０００６】
ＣＮは、情報の経路を正しい宛先に対して定めることに対して責任を持つ。例えば、ＣＮは、複数のノードＢのうち一つを介してＵＭＴＳが受信するＷＴＲＵから公共交換電話ネットワーク（ＰＳＴＮ）までの音声トラフィックの経路、またはインターネット（簡略化のため不図示）に向かうパケットデータの経路を定める。３ＧＰＰにおいて、ＣＮは６つの主要コンポーネント群、すなわち、１）汎用パケット無線サービス（ＧＰＲＳ）サポートノード（ＳＧＳＮ）のサービス、２）ゲートウェイＧＰＲＳサポートノード（ＧＧＳＮ）、３）境界ゲートウェイ、４）ビジターロケーションレジスタ（ＶＬＲ）、５）モバイルサービス交換センター、および６）ゲートウェイモバイルサービス交換センターを有する。ＧＲＰＳサポートノード（ＳＧＳＮ）のサービスは、インターネットのような、パケット交換（ＰＳ）ドメインに対するアクセスを提供する。ゲートウェイＧＰＲＳサポートノード（ＧＧＳＮ）は、他のネットワーク群に接続するためのゲートウェイノードである。他のオペレータのネットワークまたはインターネットに向かうデータトラフィックはすべてＧＧＳＮを通過する。境界ゲートウェイは、ファイアウォールの働きをして、ネットワーク外側の侵入者によるネットワーク領域内加入者に対する攻撃を防ぐ。ビジターロケーションレジスタ（ＶＬＲ）は、サービスの提供に必要な加入者データに関する現在サービス中のネットワーク群の「コピー」である。この情報は、最初、モバイル加入者を管理するデータベースから供給される。モバイルサービス交換センターは、ＵＭＴＳ端末からネットワークへの「回路交換」接続を担当する。ゲートウェイモバイルサービス交換センターは、複数の加入者の現在位置に基づいて、必要な経路決定機能を実装する。ゲートウェイモバイルサービス交換センターは、外部ネットワーク群からも加入者から接続要求を受信および管理する。
【０００７】
ＲＮＣｓは、一般的にＵＴＲＡＮの内部機能群を制御する。ＲＮＣｓはまた、ノードＢとのＩｕｂインターフェイス接続を介するローカルコンポーネントと、ＣＮと外部システムとの間の接続を介する外部サービスコンポーネントを有する通信、例えば、国内ＵＭＴＳにある携帯電話から行う国際電話のための仲介サービス群も提供する。
【０００８】
典型的に、ＲＮＣは複数の基地局を監視し、複数のノードＢがサービスするワイヤレスサービス受信可能範囲の地理的領域内の無線リソースを管理し、Ｕｕインターフェイスのための物理的な無線リソースを制御する。３ＧＰＰにおいては、ＲＮＣのＩｕインターフェイスは、ＣＮに対し２つの接続を提供する。１つは、パケット交換（ＰＳ）ドメインに対して、もう１つは回路交換ドメインに対してである。ＲＮＣｓの他の重要な機能群は、機密保持および完全性の保護を含む。
【０００９】
第３世代パートナーシッププロジェクト（３ＧＰＰ）の時間分割デュプレックス（ＴＤＤ）および周波数分割デュプレックス（ＦＤＤ）システムのような通信システムにおいては、変動レートデータの多数共有および専用チャンネルを、送信のため結合する。このようなシステムのための背景仕様データを公に入手することができ、開発され続ける。
【発明の開示】
【発明が解決しようとする課題】
【００１０】
複数の無線アクセスベアラマネージャ（ＲＡＢＭｓ）およびパケットデータコンバージェンスプロトコル（ＰＤＣＰ）プロセスは、３ＧＰＰシステムのためものとして知られている。本発明は、これらの機能群を単一コンポーネントに結合させることが、特にモバイルＷＴＲＵｓのためには望ましいことを認識する。
【課題を解決するための手段】
【００１１】
本発明は、無線アクセスベアラマネージャ（ＲＡＢＭ）およびパケットデータコンバージェンスプロトコル（ＰＤＣＰ）プロセス群を、ワイヤレス送受信ユニット（ＷＴＲＵｓ）のため結合させるコンポーネント、特に、ユニバーサルモバイルテレコミュニケーションシステム（ＵＭＴＳ）ワイヤレス通信システムにおいてＵＥとも言われるモバイルＷＴＲＵｓのため有用なコンポーネント、を提供する。
【００１２】
ＷＴＲＵは、パケット交換（ＰＳ）データを複数の無線アクセスベアラ（ＲＡＢｓ）上で搬送するインターネットプロトコルリレー（ＩＰＲ）、ＰＤＰコンテキストを介してＲＡＢｓを制御するセッションマネージャ（ＳＭ）、ＷＴＲＵのためＲＡＢとＲＢの割当を制御する無線リソースコントローラ（ＲＲＣ）、およびＰＳデータを複数の無線ベアラ（ＲＢｓ）上で搬送する無線リンクコントローラ（ＲＬＣ）を有するのが好適である。ＲＬＣとＩＰＲとの間のワイヤレス通信ＰＳデータフローを制御し、ＰＳデータの処理および各ＲＡＢの制御がＰＳデータの処理および単一ＲＢの制御に関連付けられるように、ＳＭおよびＲＲＣのインターフェイス制御を提供するよう構成された複合ＲＡＢＭ／ＰＤＣＰユニットが提供される。
【００１３】
他の目的および利点は、本発明の目下の好適な実施例に関する以下の記述に基づいて、当業者には明らかになるであろう。
略語表
【００１４】
【表１−１】
2007510371.tif 000003
【００１５】
【表１−２】
2007510371.tif 000004
【００１６】
【表１−３】
2007510371.tif 000005
【発明を実施するための最良の形態】
【００１７】
全体で類似数字は類似要素を表す図面を参照して、本発明を記述する。基地局、ワイヤレス送／受信ユニット（ＷＴＲＵ）およびモバイルユニットという用語は、その一般的な意味で使用される。本明細書で使用するとき、用語基地局は、基地局、ノードＢ、サイトコントローラ、アクセスポイント、または、ワイヤレス環境における他のインターフェイス装置であって、基地局が関連付けられるネットワークへのワイヤレスアクセスをＷＴＲＵｓに提供するインターフェイス装置を含むが、これに限定されるものではない。
【００１８】
本明細書で使用するとき、用語ＷＴＲＵは、ユーザ機器（ＵＥ）、モバイル局、固定またはモバイル加入者ユニット、ポケットベル、またはワイヤレス環境において動作可能な他のすべてのタイプの装置を含むが、これに限定されるものではない。ＷＴＲＵｓは、電話、テレビ電話、および複数のネットワーク接続を有するインターネット電話のような個人用通信装置を含む。加えて、ＷＴＲＵｓは、同様のネットワーク能力を有するワイヤレスモデモ付きの複数のＰＤＡおよび複数のノートパソコンのような、携帯可能な個人用計算装置を含む。携帯可能または別途に位置を変更できるＷＴＲＵｓは、モバイルユニットと呼ばれる。
【００１９】
本発明は、モバイルユニット、すなわち、モバイルＷＴＲＵｓと併せて使用するとき、特に有用である。例えば、本発明は、図１に示す従来のＵＴＭＳシステムのＵＥｓにおいて実装することができる。
【００２０】
図２を参照すると、本発明の指導に従って、ＷＴＲＵの中に複合ＵＥ無線アクセスベアラマネージャ（ＵＲＡＢＭ）／ＵＥパケットデータコンバージェンスプロトコル（ＵＲＡＢＭ／ＵＰＤＣＰ）コンポーネント１２を有するＷＴＲＵ１０が示されている。図２に示されている複合ＵＲＡＢＭ／ＵＰＤＣＰプロセッサ１２は、非アクセス階層（ＮＡＳ）とアクセス階層（ＡＳ）コンポーネント群を橋渡しし、１つのネットワークサービスアクセスポイント識別子（ＮＳＡＰＩ）は１つの無線アクセスベアラ（ＲＡＢ）にマップされるという事実に基づき、ＵＲＡＢＭとＵＰＤＣＰの機能群を、１つの無線ベアラ（ＲＢ）のみを含む１つのコンポーネントに集約するよう構成されるのが好適である。パケットデータプロトコル（ＰＤＰ）コンテキストを設定するため、ＮＡＳコンポーネント群１１のセッションマネージャ（ＳＭ）１４に対する制御インターフェイス１２ａを用いて、ＵＥ１０のＵＭＴＳ ＡＳ区画３４またはＧＳＭ／ＧＰＲＳ ＡＳ区画３０を介するＵＥとのネットワーク通信のため、パケット交換（ＰＳ）データサービスを設定する。
【００２１】
ＵＥ１０は、図２に示すように、その中のＵＥ無線リンク制御（ＵＲＬＣ）１８を介して、インターネットプロトコルリレー（ＩＰＲ）１６、複合ＵＲＡＢＭ／ＵＰＤＣＰプロセッサ１２およびＵＭＴＳ ＡＳ ３４を介してＵＭＴＳドメインのためのＰＳデータサービスを提供するよう構成されている。ＵＭＴＳ ＡＳ３４の内部において、ＵＲＬＣ１８は、ＵＥブロードキャスト／マルチキャスト制御（ＵＢＭＣ）２０およびＵＥメディアアクセス制御（ＵＭＡＣ）２２とのデータインターフェイス群も有し、後者は、ＵＥ１０のＵＭＴＳ物理層（ＰＨＹ）コンポーネント群２４とのデータインターフェイスを有する。ＵＥ１０は、図２の左側に示すように、第２のＩＰＲ２６、サブネットワーク依存コンバージェンスプロトコル（ＳＮＤＣＰ）プロセッサ２８、ＧＳＭ／ＧＰＲＳ ＡＳ３０、およびＵＥ１０のＧＳＭ／ＧＰＲＳ物理層（ＰＨＹ）コンポーネント群３２を介して、ＧＰＲＳドメインのためのＰＳデータサービスを提供するよう構成されている。
【００２２】
ＵＲＡＢＭ／ＵＰＤＣＰ１２は、無線アクセスベアラコントローラ（ＲＡＢＣ）および（複数の）ＲＡＢを含む。ＲＡＢＣはＵＲＡＢＭのコントローラであり、（複数の）ＲＡＢはＩＰＲ１６に対して提供されるＵＲＡＢＭサービスである。ＵＲＡＢＭは、ＱｏＳの強化およびデータを待ち行列に入れることと転送することをアップリンク方向におけるＵＰＤＣＰセグメントに対し提供する。ＵＰＤＣＰは、ＵＲＡＢＭからのデータをフォーマットし、フォーマットされたデータをＵＲＬＣ１８に対し転送する。これは次いでＵＭＡＣ２２および物理メディアへの送信のためＰＨＹコンポーネント群２４に対して転送される。ＳＭ１４は、ＰＤＰコンテキスト起動手順を開始する時期をＵＲＡＢ／ＵＰＤＣＰ１２に対し指示するよう構成されている。ＳＭ１４は、ＵＲＲＣ１７からのＲＢ設定指示を待つ。ＵＲＡＢＭ／ＵＰＤＣＣＰ１２が設定指示を受信すると、リソースを割当ててデータを送信するデータ面内にマッピングを保持する。
【００２３】
ＵＲＡＢＭ／ＵＰＤＣＰ１２のＵＰＤＣＰセグメントは、コントローラおよび（複数の）ＲＢを含む。（複数の）ＲＢは、ＵＲＡＢＭに対し提供するＵＰＤＣＰサービス群であって、ＵＲＬＣ１８のヘッダ圧縮およびＰＤＰユーザデータサービス群の転送を含む。複合ＵＲＡＭＢ／ＵＰＤＣＰ１２は、各ＲＡＢが１つのＲＢのみを含むことを認識することにより、ＲＢｓおよびＲＡＢｓのため制御を１つのプロセスとして実装する。
【００２４】
この複合プロセスの中には、論理的に二つのコントローラ（ＲＡＢＣとＰＤＣＰＣ）がある。これら双方が外部コマンド信号を受信する。ＵＰＤＣＰＣ１２ｃはＵＲＲＣ１７からコマンド信号を受信し、ＲＡＢＣ１２ａ／ｂはＳＭ１４およびＧＭＭ１５からコマンド信号を受信するが、２つのコントローラは合同して、基本的にＩＰスタックを（ＩＰＲ１６を介して）複数の３Ｇ ＵＭＴＳ特定無線ベアラおよび複数のチャネル（ＵＰＤＣＰ１２およびＵＲＬＣ１８および下流）に接続するデータパスのランタイムモードを判定する同一のＲＡＢＭ／ＰＤＣＰ１２状態マシンを動作させる。例えば、ＵＥがパケットデータ呼出を開始すると、ＳＭ１４が、ＲＡＢＭＳＭ＿ＡＣＴＩＶＡＴＥ＿ＩＮＤ信号を用い、１２ａを介してプロセスに通知する。この信号は、ＵＲＡＢＭ／ＵＰＤＣＰ１２状態を、ＩＤＬＥから、複数の無線チャネルの確立を待つＷＡＩＴ＿ＥＳＴにする。続いて、ＵＲＲＣ１７がＲＡＢおよびＲＢ情報を有するＣＰＤＣＰ＿ＣＯＮＦＩＧ＿ＲＥＱコマンドを用いてプロセスに（１２ｃを介して）信号を送ると、状態はＲＡＢ＿ＥＳＴに進み、２つのデータパス（ＲＡＢおよびＲＢを有するＰＤＰコンテキスト）のための内部スイッチが閉じられる。この状態においてのみ、アップリンクおよびダウンリンクのデータトラフィックが流れ、ＩＰヘッダ圧縮のようなデータ処理を実行することができる。
【００２５】
ＧＭＭ１５は、パケット交換ネットワークにおける携帯電話移動管理のための（ＮＡＳ１１における）プロトコルエンティティである。ＵＲＡＢＭ／ＵＰＤＣＰ１２プロセスは、ＰＳデータパス（ＰＤＰコンテキスト）の下でサポートしているＲＡＢ／ＲＢの再確立のため、それを橋渡し（ｉｎｔｅｒｆａｃｅ）する。一定の環境下では、パケットモードにおけるトラフィック量が比較的少ないため、ネットワークが無線ベアラ／チャネル（ＲＡＢ／ＲＢ）を一時的に放棄することがあるが、上流のデータパスコンテキスト（ＰＤＰコンテキスト／ＮＳＡＰＩ）は損なわれない。携帯電話が伝達するパケットデータを有しており、サポートしているＲＡＢ／ＲＢがないことを（状態マシンを介して）ＵＲＡＢＭ／ＵＰＤＣＰ１２が発見すると、ＧＭＭ１５が、ＰＤＰコンテキストおよびＮＳＡＰＩの代理として、ＲＡＢ／ＲＢを要求する信号を（１２ｂを介して）ネットワークから受ける。ＧＭＭ１５は後に、ＵＲＡＢＭ／ＵＰＤＣＰ１２に対し再確立の結果について信号を送り返す。
【００２６】
上記の場合において、ＧＭＭ１５が上流データパスに対し援助する間に、ＵＲＲＣ１７が、ＰＨＹ２４までのすべての特定無線パラメータを含めて、ＵＲＡＢＭ／ＵＰＤＣＰおよび下流からＡＳ３４層すべてまで、複数の無線ベアラ／複数のチャネルを構成することを担当する。ＵＲＲＣ１７は、複数の構成コマンドおよび複数のパラメータを、そのネットワークピアから受信する。ＵＲＡＢＭ／ＵＰＤＣＰ１２に対し、ＵＲＲＣ１７は、ＰＤＰコンテキストとＲＡＢ／ＲＢとの間のマッピング（２つ以上のＰＳパスの場合）のような詳細、ならびに再配置情報および／または複数のＩＰヘッダ圧縮パラメータのような他の詳細をもたらす。
【００２７】
図３は、複合ＵＲＡＢＭ／ＵＰＤＣＰ１２、および他のサブレイヤに対するそのインターフェイスをさらに詳細に示す。サブレイヤは、図３の右側のＰＳ―制御―パス３５と、図３の左側のＰＳ―データ―パス３５とに組分けされる。
【００２８】
複合ＵＲＡＢＭ／ＵＰＤＣＰ１２において実装されたＲＡＢＣ／ＵＰＤＣＰコントローラに対する制御インターフェイスは、図２にも示されている、ＳＭ１４、ＧＰＲＳモビリティ管理（ＧＭＭ）コンポーネント１５およびＵＥ無線リソース制御（ＵＲＲＣ）１７と橋渡し（ｉｎｔｅｒｆａｃｅ）を行う複数の制御を含む。これらは、ＳＭ１４とのＲＡＢＭ ＳＭ制御インターフェイス１２ａ、ＧＭＭ１５とのＧＭＭ ＲＡＢＭ制御インターフェイス１２ｂ、ＵＲＲＣ１７とのＲＡＢＭ ＡＳおよびＣＰＤＣＰ制御インターフェイス１２ｃを含む。複合ＵＲＡＢＭ／ＵＰＤＣＰ１２のためのデータインターフェイスは、ＩＰＲ１６とＵＲＬＣ１８との間を伸びる。さらに具体的には、ＲＡＢｓの作成、改変および解放は、制御ライン１２を介してＳＭに提供される。
【００２９】
複合ＵＲＡＢＭ／ＵＰＤＣＰモジュール１２は、図３に示されているように、ＵＭＴＳアクセス階層（ＡＳ）ドメイン３４の一部として構成されてもよい。複合ＵＲＡＢＭ／ＵＰＤＣＰモジュール１２は、静的で立ち上げ時に最初に作成される１つのプロセスにおいて実装されるのが好適である。
【００３０】
このＵＲＡＢＭ／ＵＰＤＣＰが静的であるとは、ＵＥ電源投入段階において、オペレーティングシステムの中で何よりも走行中タスクとして、作成されることを意味する。このエンティティは次いで、ＲＡＢＣとＰＤＣＰＣの機能群を制御し、ＳＭ、ＧＭＭ、およびＵＲＲＣに対する複数の信号パスを維持する。このプロセスは、システムの動作におけるいかなる時点でも終了することはなく、携帯電話が回線交換モードでのみ走っている場合でも動作を維持する。
【００３１】
図２および３のＵＲＡＢＭ／ＵＰＤＣＰコンポーネント１２は、特定用途向け集積回路（ＡＳＩＣ）のような、単一の集積回路上で実装されるのが好適である。しかしながら、図２及び３に示されているその他のコンポーネント群も、複数の分離集積回路を用いることはできるが、複合ＵＲＡＢＭ／ＵＰＤＣＰコンポーネントを有するＡＳＩＣ上で容易に実装できる。
【００３２】
本発明に相反しないその他の変形および改変を、当業者は認識するであろう。本発明の特徴および要素を、特定の組合せにおける好適な実施例において記述したが、各特徴または要素は、単独で（好適な実施例の他の特徴および要素を欠いて）、または本発明の他の特徴および要素を伴うかもしくは欠く各種の組合せで用いることができる。
【図面の簡単な説明】
【００３３】
【図１】従来のＵＭＴＳネットワークのシステムアーキテクチャの概要を示す図である。
【図２】複合ＵＲＡＢＭ＿ＵＰＤＣＰとＵＥの概略図である。
【図３】ＵＲＡＢＭ＿ＵＤＰＣＰと他のサブレイヤとの間のインターフェイスの概略図である。
【図１】
2007510371.tif 000006
【図２】
2007510371.tif 000007
【図３】
2007510371.tif 000008
【国際調査報告】
2007510371.tif 000009
2007510371.tif 000010